(57)【要約】【課題】  携帯電話などの携帯端末において暗証コードを入力する際、携帯端末装置の利用者が入力した暗証証コードを周囲の第３者が容易に視認できないようにする。【解決手段】  携帯端末装置１０はそれぞれタッチパネル入力機構と押しボタン入力機構を備えたキー入力ユニットから構成されたキーユニット２３を含む操作／入力部２２、タッチパネル入力機構と押しボタン入力機構の何れが操作されたかを識別する入力操作識別部１３、文字入力変換部１４等を備える。暗証コード入力操作検出部１２が暗証コード入力操作を検出した場合、入力文字変換部１４は入力操作識別部１３の識別結果に基づいて操作されたキー入力ユニットの文字コードにタッチパネル入力機構と押しボタン入力機構の何れが操作されたかを区別するコードを付加してコード変換し、暗証コード生成部１６がコード変換された所定桁数の入力文字コードから暗証コードを生成する。【選択図】      図１
2007060074.tif 000002
【特許請求の範囲】
【請求項１】
それぞれタッチパネル入力機構と押しボタン入力機構を備えたキー入力ユニットから構成されたキーユニットを含む操作／入力部と、暗証コード入力操作を検出する暗証コード入力操作検出部と、タッチパネル入力機構と押しボタン入力機構の何れが操作されたかを識別する入力操作識別部と、文字入力変換部と、暗証コード生成部と、備えた携帯端末装置であって、
前記暗証コード入力操作検出部が暗証コード入力操作を検出した場合、前記入力文字変換部は前記入力操作識別部の識別結果に基づいて操作されたキー入力ユニットの文字コードにタッチパネル入力機構と押しボタン入力機構の何れが操作されたかを区別するコードを付加してコード変換し、暗証コード生成部が前記コード変換された所定桁数の入力文字コードに基づいて暗証コードを生成することを特徴とする携帯端末装置。
【請求項２】
前記携帯端末装置は、更に、登録暗証コード記憶部とコード比較部と、を備え、前記暗証コード生成部が生成した暗証コードと前記登録暗証コード記憶部に記憶された暗証コードとを前記コード比較部により比較し、比較結果が一致した場合に入力された暗証コードが正しい暗証コードであると判定することを特徴とする請求項１に記載の携帯端末装置。
【請求項３】
前記携帯端末装置は、更に、無線通信部を備え、前記暗証コード生成部が生成した暗証コードを所望のサービス提供機関に送信することを特徴とする請求項１または請求項２に記載の携帯端末装置。
【請求項４】
それぞれタッチパネル入力機構と押しボタン入力機構を備えたキー入力ユニットから構成されたキーユニットを含む操作／入力部と、暗証コード入力操作を検出する暗証コード入力操作検出部と、タッチパネル入力機構と押しボタン入力機構の何れが操作されたかを識別する入力操作識別部と、文字入力変換部と、暗証コード生成部と、備えた携帯端末装置における暗証コード入力方法であって、
前記暗証コード入力操作検出部が暗証コード入力操作を検出するステップと、前記入力文字変換部は前記入力操作識別部の識別結果に基づいて操作されたキー入力ユニットの文字コードにタッチパネル入力機構と押しボタン入力機構の何れが操作されたかを区別するコードを付加してコード変換するステップと、前記暗証コード生成部が前記コード変換された所定桁数の入力文字コードに基づいて暗証コードを生成するステップと、を有することを特徴とする携帯端末装置における暗証コード入力方法。
【請求項５】
前記携帯端末装置は、更に、登録暗証コード記憶部とコード比較部と、を備え、前記暗証コード入力方法は、前記暗証コード生成部が生成した暗証コードと前記登録暗証コード記憶部に記憶された暗証コードとを前記コード比較部により比較するステップと、比較結果が一致した場合に入力された暗証コードが正しい暗証コードであると判定するステップと、を更に含むことを特徴とする請求項４に記載の携帯端末装置における暗証コード入力方法。
【発明の詳細な説明】
【技術分野】
【０００１】
本発明は、携帯電話やＰＤＡ装置などの携帯端末装置および携帯端末装置における暗証コード入力方法に関するものであり、特に、入力手段であるキー入力ユニットの各キーにタッチパネル入力機構と押しボタン入力機構を備え、操作されたキーに割り当てられたコードにタッチパネル操作コードまたは押しボタン操作を示すコードを付加して暗証コードを生成するように構成した携帯端末装置および携帯端末装置における暗証コード入力方法に関するものである。
【背景技術】
【０００２】
近年の情報処理技術、通信技術の発展に伴い種々の携帯型の情報通信端末装置（以下、携帯端末装置という）が広く普及している。このような携帯端末装置は、利用者が外出先からインターネットなどのネットワークを介して種々サービスを提供する情報配信サーバや所望のウェブサイトに接続して当該サービスを受け、あるいは情報を取得したり、自社のネットワークに接続して業務上必要な情報を取得することができる。
【０００３】
最近では、携帯電話のハード、ソフト機能が充実し、従来の携帯端末装置の機能を兼ねるようになってきており、携帯電話の普及率の拡大にはめざましいものがある。携帯電話を利用したデータ通信サービスを提供する事業者も増加しており、携帯電話を利用してバンキング、インターネット販売、ナビゲーション、交通機関やコンピニエンスストアなどの代金決済など様々なサービスを受けることができるようになってきている。特に携帯電話においては種々のオプションやアプリケーションが搭載可能であり、利用できるサービスの種類も豊富になってきている。
【０００４】
図４は一般的な携帯電話の外観を示す図である。図４に示すように、携帯電話は、液晶表示ユニットなどから構成される表示部８、操作／入力部９を備えており、操作／入力部９にはテンキー９１等と選択キー９２、確定キー９３、入力文字コード変換キーなどの機能キーを備えている。
【０００５】
このような携帯電話などの携帯端末装置においては、装置の寸法上の制約から数値や文字入力のためのキー、装置の機能選択のための機能キーなど多数設けることができず、一般的には、表示部に表示したメニューの選択や機能キーの操作により各キーに割り当てられた入力定義を切り換えて入力文字変換を行うようにされている。図４に示すような携帯電話においては、通話の場合、テンキーは数値入力として入力文字変換が行われ、電話帳入力時の名前や住所の入力、電子メールのテキスト入力時にはかな漢字入力として入力文字変換が行われる。
【０００６】
また、このような携帯端末装置においては、先に述べたと同様な理由から操作・入力のためのキー入力ユニットを物理的に大きくすることができず、利用者が指で操作した際に隣接するキーを同時操作しない程度の大きさ、間隔で配置される。このため利用者が所望のキーを正しく操作できたか否かを感覚的に把握できないという問題点がある。
【０００７】
このような問題点を解消するため、利用者に入力キー操作の状況を適切に表示できるようにした携帯端末装置のデータ入力装置が下記の特許文献１（特開２００２−２４４７９１号公報）に開示されている。このデータ入力装置は、入力手段であるキー入力ユニットの各キーにタッチパネル式検出機構と押しボタン入力機構を備え、利用者の操作状況を表示部などに適切に表示するように構成したものである。
【０００８】
すなわち、この特許文献１に開示されたキー入力ユニットは図５に示すように、キー本体５３の表面に接触覚ボード５２と保護シート５１とが積層されて貼り付けられている。保護シート５１には文字や記号などが印刷されている。接触覚ボード５２は、接触覚を検出し、例えばカーボンファイバ製の薄板フェルトを両側から電極で挟んだものが用いられ、ユーザの指がキーに触れると接触圧力をオンとオフの２値でとらえて検出する。接触覚ボード５２は指の接触圧による電極間の電気抵抗の変化を検出し、接触押下判定部２９においてキーへの接触を検出する。キー本体５３は、反撥弾性をもったヒンジ部５５を介してキー基盤５０に設置されている。
【０００９】
また、キー本体５３は裏面に突起部５４が一体になって構成されており、キーが（たとえば０．５ニュートン以上の力で）押下されると突起部５４がキー基盤５０上に設置された金属ドーム接点５６を押下し、押下圧力によって金属ドーム接点５６が凹んで固定接点５７に接触し、キーの押下を検出すると同時に金属ドーム接点５６の反撥弾性により指にクリック感を生ずる。各キーは、接触による弱い圧力で接触の有無を検出し、押下による比較的強い圧力によって押下の有無を検出する。
【００１０】
また、キーへの接触の有無は、接触覚ボード５２の電気抵抗の変化以外に電気容量の変化などのいかなる物理量を測定して検出してもよい。ユーザが何れのキーに触れているかを示す接触信号と、ユーザが何れのキーを押下しているかを示す押下信号は送信部３０をへてコンピュータ３１に送信される。
【００１１】
このようにキー入力ユニットを構成することにより、接触覚ボード５２もしくはキー押下による金属ドーム接点５６と固定接点５７の接触を検出することにより、当該キーが操作された際にその状況を表示し、利用者によるキー操作の確認を容易にすることができるようになる。
【特許文献１】特開２００２−２４４７９１号公報（図７１、段落［００４５］〜［００４８］）
【発明の開示】
【発明が解決しようとする課題】
【００１２】
ところで、携帯電話などの携帯端末装置においては先に述べたようにそのアプリケーションが種々提供されており利用範囲が拡大している。例えば、インターネットを利用した商取引の決済や銀行取引（電子マネーとしての預金引き出しなど）のサービスが提供されている。このような取引においては携帯端末装置から予め登録してある暗証コードを入力することにより本人認証を行うシーケンスが必須となる。
【００１３】
最近では個人情報の漏洩や不正に取得した暗証コードを用いた犯罪が多発しており、携帯端末装置から暗証コードを入力する場合、周囲の第３者に入力した暗証コードを盗み見られないようにすることが重要になってきている。このような問題点に対応するため、例えば、金融機関の店舗などに設置された端末装置においては、生体認証によって個人認証を行いその安全性を高める提案が種々行われている。
【００１４】
しかしながら、携帯端末装置に前述のような生体認証に対応する入力手段や画像処理手段を設けることは、装置の物理的な寸法やコスト上の制約があり現実的な解決策とはなり得ないという問題点があった。一般的な携帯端末が備えているキー入力手段によって暗証コードを入力する場合には周囲の第３者にどのキーを操作したかを覗き見られないように利用者が注意を払うしか防衛手段がないという問題点があった。
【００１５】
本願の発明者は上記の問題点を解消すべく種々検討した結果、入力手段であるキー入力ユニットの各キーにタッチパネル入力機構と押しボタン入力機構を備え、操作されたキーに割り当てられたコードにタッチパネル操作コードまたは押しボタン操作を示すコードを付加して暗証コードを生成するように構成すれば、利用者が操作したキーを第３者が盗み見たとしても、タッチ入力であるか、押下入力であるかを識別することは不可能であり、安全性が向上することに想到して本発明を完成するに至ったものである。
【００１６】
すなわち、本発明は前記の問題点を解消することを課題とし、携帯電話などの携帯端末において暗証コードを入力する際、携帯端末装置の利用者が入力した暗証証コードを周囲の第３者が容易に視認できないようにした携帯端末装置および携帯端末装置における暗証コード入力方法を提供することを目的とする。
【課題を解決するための手段】
【００１７】
前記課題を解決するために、本願の請求項１にかかる発明は、
それぞれタッチパネル入力機構と押しボタン入力機構を備えたキー入力ユニットから構成されたキーユニットを含む操作／入力部と、暗証コード入力操作を検出する暗証コード入力操作検出部と、タッチパネル入力機構と押しボタン入力機構の何れが操作されたかを識別する入力操作識別部と、文字入力変換部と、暗証コード生成部と、備えた携帯端末装置であって、
前記暗証コード入力操作検出部が暗証コード入力操作を検出した場合、前記入力文字変換部は前記入力操作識別部の識別結果に基づいて操作されたキー入力ユニットの文字コードにタッチパネル入力機構と押しボタン入力機構の何れが操作されたかを区別するコードを付加してコード変換し、暗証コード生成部が前記コード変換された所定桁数の入力文字コードに基づいて暗証コードを生成することを特徴とする。
【００１８】
また、本願の請求項２にかかる発明は、請求項１にかかる携帯端末装置において、
前記携帯端末装置は、更に、登録暗証コード記憶部とコード比較部と、を備え、前記暗証コード生成部が生成した暗証コードと前記登録暗証コード記憶部に記憶された暗証コードとを前記コード比較部により比較し、比較結果が一致した場合に入力された暗証コードが正しい暗証コードであると判定することを特徴とする。
【００１９】
また、本願の請求項３にかかる発明は、請求項１または請求項２にかかる携帯端末装置において、前記携帯端末装置は、更に、無線通信部を備え、前記暗証コード生成部が生成した暗証コードを所望のサービス提供機関に送信することを特徴とする。
【００２０】
また、本願の請求項４にかかる発明は、
それぞれタッチパネル入力機構と押しボタン入力機構を備えたキー入力ユニットから構成されたキーユニットを含む操作／入力部と、暗証コード入力操作を検出する暗証コード入力操作検出部と、タッチパネル入力機構と押しボタン入力機構の何れが操作されたかを識別する入力操作識別部と、文字入力変換部と、暗証コード生成部と、備えた携帯端末装置における暗証コード入力方法であって、
前記暗証コード入力操作検出部が暗証コード入力操作を検出するステップと、前記入力文字変換部は前記入力操作識別部の識別結果に基づいて操作されたキー入力ユニットの文字コードにタッチパネル入力機構と押しボタン入力機構の何れが操作されたかを区別するコードを付加してコード変換するステップと、前記暗証コード生成部が前記コード変換された所定桁数の入力文字コードに基づいて暗証コードを生成するステップと、を有することを特徴とする。
【００２１】
また、本願の請求項５にかかる発明は、請求項４にかかる暗証コード入力方法において、
前記携帯端末装置は、更に、登録暗証コード記憶部とコード比較部と、を備え、前記暗証コード入力方法は、前記暗証コード生成部が生成した暗証コードと前記登録暗証コード記憶部に記憶された暗証コードとを前記コード比較部により比較するステップと、比較結果が一致した場合に入力された暗証コードが正しい暗証コードであると判定するステップと、を更に含むことを特徴とする。
【発明の効果】
【００２２】
請求項１にかかる発明においては、暗証コード入力操作検出部が暗証コード入力操作を検出した場合、前記入力文字変換部は前記入力操作識別部の識別結果に基づいて操作されたキー入力ユニットの文字コードにタッチパネル入力機構と押しボタン入力機構の何れが操作されたかを区別するコードを付加してコード変換し、暗証コード生成部が前記コード変換された所定桁数の入力文字コードに基づいて暗証コードを生成する。
【００２３】
従って、暗証コードはタッチ操作と押下操作により区別された別のコードとして入力文字コード変換されるため、周囲の第３者が入力操作を盗み見たとしても、タッチ操作であるか押下操作であるかは操作した本人には明確に区別が認識できるが、一瞥した他の人にはこの差を識別することは事実上困難であり、暗証コード入力の安全性を飛躍的に向上させることができるようになる。
【００２４】
また、請求項２にかかる発明においては、請求項１にかかる発明において、帯端末装置は、更に、登録暗証コード記憶部とコード比較部と、を備え、前記暗証コード生成部が生成した暗証コードと前記登録暗証コード記憶部に記憶された暗証コードとを前記コード比較部により比較し、比較結果が一致した場合に入力された暗証コードが正しい暗証コードであると判定する。
【００２５】
従って、利用者が暗証コード入力に際してタッチ操作と押下操作を間違えても、エラーメッセージを表示することができ、入力の修正を行うことができるようになる。
【００２６】
また、請求項３にかかる発明においては、請求項１または請求項２にかかる発明において、携帯端末装置は、更に、無線通信部を備え、前記暗証コード生成部が生成した暗証コードを所望のサービス提供機関に送信する。従って、サービス提供機関の個人認証を安全に行うことができるようになる。
【００２７】
また、請求項４、請求項５にかかる発明においては、それぞれ、請求項１、請求項２にかかる携帯端末装置における暗証コード入力方法を提供することができるようになる。
【発明を実施するための最良の形態】
【００２８】
以下、本発明の具体例を実施例及び図面を用いて詳細に説明する。図１は本発明の実施例にかかる携帯端末装置としての携帯電話の構成を示すブロック図である。図２は、図１の携帯電話における入力暗証コードと登録暗証コードの比較判断の例を示す模式図である。図３は、図１の携帯電話における暗証コード入力の動作手順を示すフローチャートである。なお、本実施例においては、携帯端末装置として携帯電話を例に説明するが、本発明は、携帯電話のみならず一般的なＰＤＡ装置などの携帯端末装置に適用することも可能である。
【実施例１】
【００２９】
本発明の実施例にかかる携帯電話１０は、図１に示すように、制御部１１、暗証コード入力操作検出部１２、入力操作識別部１３、入力文字変換部１４、登録暗証コード記憶部１５、暗証コード生成部１６、コード比較部１７、無線通信部１８、通話処理部１９、パケット通信制御部２０、表示部２１、キーユニット２３を含む操作／操作／入力部２２などを備えて構成されている。制御部１１は、マイクロプロセッサを中心に構成され、一般的なコンピュータ装置と同様にＲＡＭ、ＲＯＭなどの記憶手段を備えており、これらの記憶手段に蓄積されたプログラムによって各部の動作が制御される。
【００３０】
無線通信部１８は、携帯電話基地局との間で無線通信を行う無線通信インターフェースであり、音声通話やデータ通信のパケットデータが無線通信によって携帯電話基地局との間で送受信される。通話処理部１９は、音声出力のためのスピーカ、音声入力のためのマイク、音声の符号化と複合化の機能と受話音量やマイクの感度変更機能を持つ音声コーデックなどから構成され通話を行う際に使用される。操作／操作／入力部２２は数字キー、アルファベットキーなどのキーユニット２３を含み、携帯電話１０が持つ各種の機能を選択するための機能ボタン、タッチパッドやジョグダイヤルなどを含んで構成され、携帯電話１０を操作する入力を行う部分であり、液晶ディスプレイなどで構成される表示部２１は、各種アプリケーションの操作画面を表示したり、操作／操作／入力部２１から入力された入力に従って関連する画面を表示したりする。
【００３１】
利用者が暗証コードを登録、入力する場合は、表示部に表示されたメニュー画面等により暗証コード入力が選択されたり、暗証コード入力の機能キーなどが動作されたりする。暗証コード入力操作検出１２はこれを検出し、利用者が暗証コード入力の処理を行っていることを判別することができる。
【００３２】
キーユニット２３を構成する個々のキー入力ユニットは、図５に示す従来周知のタッチパネル入力機構と押しボタン入力機構を備えた複数のキー入力ユニットから構成されている。従って、暗証コード入力操作検出部１２暗証コード入力操作を検出し、利用者が前述したキー入力ユニットを指で操作する際に、タッチ操作であるか、押下操作であるかにより、それぞれの操作を検出する。そして、文字入力コード変換部１４が操作されたキー入力ユニットに対応する入力文字コードに変換する際に、タッチ操作または押下操作の区別を示すコードを付加することにより、当該操作されたキー入力ユニットの入力文字コードが２種類の異なる暗証コードに変換される。変換された暗証コードを所定桁数分のデータに編集し、暗証コード生成部１６が複数桁の暗証コードを生成する。
【００３３】
利用者は、所望のサービス機関に対して登録した暗証コードについて、携帯電話１０を用いて先ず暗証コード登録処理を選択し、所定のキー入力ユニットを登録した暗証コードの桁数分順次操作して上記の入力作業を行うと、暗証コード生成部１６が生成した複数桁の暗証コードが登録暗証コード記憶部１５に記憶される。一方、利用者が所望のサービス機関に対してサービスを要求するに際して暗証コードを入力する場合は、暗証コード入力を選択して前述と同様にしてキー入力ユニットを順次操作し暗証コードを生成する。
【００３４】
図２は前述のようにして登録暗証コード記憶部１５に登録された暗証コード、暗証コード入力により入力された暗証コードをコード比較部１７により比較し、両者が一致するか否かを判別する比較判断の一例を示す図である。登録暗証コード記憶部１５に登録された暗証コードが図２に示すように、１桁目が数字「３：押下」、２桁目が数字「４：タッチ」、３桁目が数字「４：押下」、４桁目が数字「５：押下」であったものとする。
【００３５】
一方、暗証コード入力処理において暗証コード生成部１６において生成された暗証コードが図２に示すように、１桁目が数字「３：押下」、２桁目が数字「４：タッチ」、３桁目が数字「５：押下」、４桁目が数字「５：押下」であると、コード比較部１７は両者を比較し、３桁目が登録暗証コード（４：押下）と入力暗証コード（５：押下）とが異なるため、暗証コードの不一致としてエラーメッセージを表示部２１に表示する。
【００３６】
両者が一致した場合には暗証コード入力が正しく行われたものとしてパケット通信制御部１９に入力した暗証コードが送られ、無線通信部１８を介して所定のサービス提供機関に送信される。暗証コードは以上述べたようにタッチ操作と押下操作により区別された別のコードとして入力文字コード変換されるため、周囲の第３者が入力操作を盗み見たとしても、タッチ操作であるか押下操作であるかは操作した本人には明確に区別が認識できるが、一瞥した他の人にはこの差を識別することは事実上困難であり、暗証コード入力の安全性を飛躍的に向上させることができるようになる。
【００３７】
図３は、図１の携帯電話１０における暗証コード入力の動作手順を示すフローチャートである。暗証コードは前述のようにして利用者によって既に登録処理が行われ、登録暗証コード記憶部１５に記憶されているものとする。また、入力された暗証コードを送信する所望のサービス提供機関の送信先などの指定は所定の入力メニュー画面等を使用して完了しているものとする。
【００３８】
先ず、利用者によって暗証コード入力の処理が選択されるとステップＳ１０の処理において、暗証コード入力操作検出部１２がこれを検出する。ステップＳ１１の処理においてキーユニット２３の操作があったか否かが判定され、キー入力ユニットの操作がなければステップＳ１１の判定処理を繰り返し、キー入力ユニットの操作があれば、ステップＳ１２の処理に進み、入力操作識別部１３がキーの押下であるか否かを判定する。
【００３９】
図５に示すように、キー入力ユニットが押下されると突起部５４がキー基盤５０上に設置された金属ドーム接点５６を押下し、押下圧力によって金属ドーム接点５６が凹んで固定接点５７に接触し、キー入力ユニットの押下を検出する。ステップＳ１３の処理においてキー入力ユニットの押下が検出されると、ステップＳ１４の処理において入力文字変換部１４は入力文字コード変換を行い図２に例示したように文字変換と押下、タッチの区別を付加し「３：押下」のようにコードに変換し、暗証コード生成部１６に送って記憶する。
【００４０】
そして、ステップＳ１５の処理において入力操作識別部１３はキー入力ユニットから指が離れたかを判定し、指が離れていなければこのステップＳ１５の判定を繰り返し、指が離れたならばステップＳ１９の処理に進み、所定の入力桁数に達したかが判定される。
【００４１】
一方、ステップＳ１２の処理において、キー入力ユニットの押下が検出されなかった場合は、ステップＳ１６の処理において入力操作識別部１３がキー入力ユニットから指が離れたか否かを判定し指が離れていなければステップＳ１２の処理に戻り、指が離れたことが検出され、ステップＳ１７の処理において、入力操作識別部１３が図５に示すように接触覚ボード５２において指の接触圧による電極間の電気抵抗の変化を検出して、キー入力ユニットへの接触（タッチ）を識別する。
【００４２】
キー入力ユニットのタッチが検出されると、ステップＳ１８の処理において入力文字変換部１４は入力文字コード変換を行い図２に例示したように文字変換と押下、タッチの区別を付加し「４：タッチ」のようにコードに変換し、暗証コード生成部１６に送って記憶する。
【００４３】
ステップＳ１９の処理においては、暗証コード生成部１６が所定桁数の暗証コードが全て入力されたかを判定し、全ての桁の入力が終了していなければステップＳ１１の処理に戻り、次の桁のキー入力ユニットの操作を検出する。所定桁数の入力が終了していればステップＳ２９の処理において暗証コード生成部１６は全ての入力コードを編集し、図２に示す暗証コードを生成する。
【００４４】
そして、ステップＳ２１の処理においてコード比較部１７は、図２を参照して説明したように登録暗証コード記憶部１５に記憶された登録暗証コードと暗証コード生成部１６が生成した入力暗証コードを比較し、登録された暗証コードと入力された暗証コードが一致しなければ、ステップＳ２３の処理にとおいてエラーメッセージを表示部２１に表示し、一致していれば暗証コードが正しく入力されたものとしてステップＳ２２の処理において携帯電話１０は所定のサービス提供機関に当該入力された暗証コードを送信して処理を終了する。
【図面の簡単な説明】
【００４５】
【図１】本発明の実施例にかかる携帯端末装置としての携帯電話の構成を示すブロック図である。
【図２】図１の携帯電話における入力暗証コードと登録暗証コードの比較判断の例を示す模式図である。
【図３】図１の携帯電話における暗証コード入力の動作手順を示すフローチャートである。
【図４】従来の携帯電話の外観を示す外観図である。
【図５】従来周知のタッチパネル入力機構と押しボタン入力機構を備えたキー入力ユニットの構成を示す図である。
【符号の説明】
【００４６】
１０・・・携帯電話
１１・・・制御部
１２・・・暗証コード入力操作検出部
１３・・・入力操作識別部
１４・・・入力文字変換部
１５・・・登録暗証コード記憶部
１６・・・暗証コード生成部
１７・・・コード比較部
１８・・・無線通信部
１９・・・通話処理部
２０・・・パケット通信制御部
２１・・・表示部
２２・・・操作／操作／入力部
２３・・・キーユニット
【図１】
2007060074.tif 000003
【図２】
2007060074.tif 000004
【図３】
2007060074.tif 000005
【図４】
2007060074.tif 000006
【図５】
2007060074.tif 000007